(57)【要約】【課題】透明接着剤層内に発生する気泡、表示パネルの端部及び表示パネルの端部を遮蔽する遮蔽部材が容易に視認されず高い表示品位を有する表示装置を提供する。【解決手段】表示装置は、表示パネル、保護板及び透明接着剤層を備える。透明接着剤層は、保護板を表示パネルに接着する。保護板の遮光部は、平面視された場合に、表示パネルの端部に重なる。表示装置は、遮蔽部材をさらに備える。遮蔽部材の支持部は、平面視された場合に表示パネルを囲み、保護板を支持する。遮蔽部材の遮蔽部は、平面視された場合に端部及び遮光部に重なり、端部と遮光部との間にあり、表示パネルの厚さ方向に遮光部から離される。遮蔽部は、表示パネルの厚さ方向と垂直をなす方向に支持部から離れるにつれて表示パネルの厚さ方向についての厚さが薄くなるテーパ状の形状を有し、遮光部に対向するテーパ面を有する。【選択図】図２
2019082519.tif 000002
【特許請求の範囲】
【請求項１】
画像表示部及び端部を備える表示パネルと、
前記表示パネルに対向し、透明部及び遮光部を備え、前記表示パネルの厚さ方向から平面視された場合に前記透明部が前記画像表示部に重なり、前記表示パネルの厚さ方向から平面視された場合に前記遮光部が前記端部に重なる保護板と、
前記表示パネルと前記保護板との間にあり、前記保護板を前記表示パネルに接着する透明接着剤層と、
開口が形成され、支持部及び遮蔽部を備え、前記表示パネルの厚さ方向から平面視された場合に前記開口が前記画像表示部に重なり、前記表示パネルの厚さ方向から平面視された場合に前記支持部が前記表示パネルを囲み、前記表示パネルの厚さ方向から平面視された場合に前記遮蔽部が前記端部及び前記遮光部に重なり、前記支持部が前記保護板を支持し、前記遮蔽部が前記端部と前記遮光部との間にあり前記表示パネルの厚さ方向に前記遮光部から離され、前記表示パネルの厚さ方向と垂直をなす方向に前記支持部から離れるにつれて前記表示パネルの厚さ方向についての厚さが薄くなるテーパ状の形状を前記遮蔽部が有し、前記遮蔽部が前記遮光部に対向するテーパ面を有する遮蔽部材と、
を備える表示装置。
【請求項２】
前記テーパ面は、０でない曲率を有する
請求項１の表示装置。
【請求項３】
前記保護板は、湾曲保護板である
請求項１又は２の表示装置。
【発明の詳細な説明】
【技術分野】
【０００１】
本発明は、画像を表示する表示パネルの表示面が保護板により覆われる構造を有する表示装置に関する。
【背景技術】
【０００２】
情報機器として利用される電子機器が広く普及している。当該電子機器には、薄型で軽量の表示装置が組み込まれることが多い。例えば、携帯電話端末、パーソナルコンピューター、産業用機器、車載機器、ハンディ端末、広告表示機等には、薄型で軽量の表示装置が組み込まれることが多い。
【０００３】
薄型で軽量の表示装置においては、外部からの衝撃から画像を表示する表示パネルを保護するために、表示パネルの表示面が保護板により覆われ、保護板が透明接着剤層により表示パネルに接着される構造が採用されることがある。特許文献１及び２に記載された技術は、その例である。
【０００４】
特許文献１に記載された技術においては、金属枠により固定された表示パネルと透明板とが液体接着剤で互いに貼り合わされる（要約）。
【０００５】
特許文献２に記載された技術においては、保護板と表示パネルとの間隙に接着層が配置される（要約）。
【先行技術文献】
【特許文献】
【０００６】
【特許文献１】特開２００９−８７０３号公報
【特許文献２】特開２０１４−２１９４３７号公報
【発明の概要】
【発明が解決しようとする課題】
【０００７】
保護板が透明接着剤層により表示パネルに接着される構造が表示装置において採用された場合は、保護板が表示パネルに接着される際に透明接着剤層内に気泡が発生する。発生した気泡は、段差部、端部がある領域に混入しやすい。表示パネルの画像表示部に重なる領域内に気泡が発生した場合は、発生した気泡が容易に視認され、表示装置の表示品位が低下する。
【０００８】
また、表示パネルの表示面が保護板により覆われる構造が表示装置において採用された場合は、空気の屈折率と保護板の屈折率との違いの影響により、表示パネルの発光する端部が容易に視認され、表示装置の表示品位が低下する。
【０００９】
また、表示パネルの表示面が保護板により覆われる構造が表示装置において採用され、表示パネルの端部が容易に視認されないようにするために表示パネルの端部が遮蔽部材により遮蔽された場合は、表示パネルの端部を遮蔽する遮蔽部材が容易に視認され、表示装置の表示品位が低下する。
【００１０】
本発明は、これらの問題を解決するためになされる。本発明が解決しようとする課題は、透明接着剤層内に発生する気泡、表示パネルの端部及び表示パネルの端部を遮蔽する遮蔽部材が容易に視認されず高い表示品位を有する表示装置を提供することである。
【課題を解決するための手段】
【００１１】
表示装置は、表示パネル、保護板及び透明接着剤層を備える。
【００１２】
保護板は、表示パネルに対向する。透明接着剤層は、表示パネルと保護板との間にあり、保護板を表示パネルに接着する。
【００１３】
保護板の透明部は、表示パネルの厚さ方向から平面視された場合に、表示パネルの画像表示部に重なる。保護板の遮光部は、表示パネルの厚さ方向から平面視された場合に、表示パネルの端部に重なる。
【００１４】
表示装置は、遮蔽部材をさらに備える。
【００１５】
遮蔽部材には、開口が形成される。開口は、表示パネルの厚さ方向から平面視された場合に、表示パネルの画像表示部に重なる。
【００１６】
遮蔽部材の支持部は、表示パネルの厚さ方向から平面視された場合に、表示パネルを囲み、保護板を支持する。
【００１７】
遮蔽部材の遮蔽部は、表示パネルの厚さ方向から平面視された場合に表示パネルの端部及び保護板の遮光部に重なり、表示パネルの端部と保護板の遮光部との間にあり、表示パネルの厚さ方向に保護板の遮光部から離される。
【００１８】
遮蔽部材の遮蔽部は、表示パネルの厚さ方向と垂直をなす方向に遮蔽部材の支持部から離れるにつれて表示パネルの厚さ方向についての厚さが薄くなるテーパ状の形状を有し、保護板の遮光部に対向するテーパ面を有する。
【発明の効果】
【００１９】
本発明によれば、遮蔽部材の遮蔽部が、保護板の遮光部から表示パネルの厚さ方向に離される。このため、透明接着剤層内に発生した気泡が、保護板の遮光部と遮蔽部材の遮蔽部との間に集まる。これにより、保護板越しに表示パネルの表示面が観察された場合に、発生した気泡が、保護板の遮光部に隠され、容易に視認されない。
【００２０】
また、本発明によれば、遮蔽部材の遮蔽部が、表示パネルの厚さ方向から平面視された場合に表示パネルの端部に重なり、保護板の遮光部と表示パネルの端部との間にある。これにより、保護板越しに表示パネルの表示面が観察された場合に、表示パネルの端部が、遮蔽部材の遮蔽部に隠され、容易に視認されない。
【００２１】
また、本発明によれば、遮蔽部材の遮蔽部が、表示パネルの厚さ方向と垂直をなす方向に遮蔽部材の支持部から離れるにつれて表示パネルの厚さ方向についての厚さが薄くなるテーパ状の形状を有する。これにより、遮蔽部材の遮蔽部の内周側の端面が細くなり、斜め方向から表示パネルの表示面が観察された場合に、遮蔽部材の遮蔽部の内周側の端面が、鮮明に視認されない。
【００２２】
また、本発明によれば、光を散乱する遮蔽部材の遮蔽部のテーパ面が保護板に対向する。これにより、斜め方向から表示パネルの表示面が観察された場合に、遮蔽部材の遮蔽部が鮮明に視認されない。
【００２３】
これらにより、表示装置の表示品位が向上する。
【００２４】
この発明の目的、特徴、局面、および利点は、以下の詳細な説明と添付図面とによって、より明白となる。
【図面の簡単な説明】
【００２５】
【図１】実施の形態１の液晶表示装置を模式的に図示する分解斜視図である。
【図２】実施の形態１の液晶表示装置を模式的に図示する断面図である。
【図３】参考例の液晶表示装置を模式的に図示する断面図である。
【図４】実施の形態２の液晶表示装置を模式的に図示する断面図である。
【発明を実施するための形態】
【００２６】
１  実施の形態１
１．１  液晶表示装置
図１は、実施の形態１の液晶表示装置を模式的に図示する分解斜視図である。図２は、実施の形態１の液晶表示装置を模式的に図示する断面図である。図１は、実施の形態１の液晶表示装置が分解された状態を図示する。図２は、実施の形態１の液晶表示装置が組み立てられた状態を図示する。
【００２７】
図１及び図２に図示される液晶表示装置１０００は、バックライト１０２０、液晶表示パネル１０２１、透明接着剤層１０２２、平坦保護板１０２３及び遮蔽部材１０２４を備える。透明接着剤層１０２２は、図１には図示されず、図２に図示される。液晶表示装置１０００がこれらの構成物以外の構成物を備えてもよい。液晶表示パネル１０２１が液晶表示パネル以外の表示パネルに置き換えられ、液晶表示装置１０００が液晶表示装置以外の表示装置に置き換えられることも許される。例えば、液晶表示パネル１０２１が有機エレクトロルミネッセンス（ＥＬ）表示パネルに置き換えられ、液晶表示装置１０００が有機ＥＬ表示装置に置き換えられることも許される。
【００２８】
バックライト１０２０は、液晶表示パネル１０２１の一方の主面である液晶表示パネル１０２１の背面１０４０に対向し、液晶表示パネル１０２１の背面１０４０に光を照射する。液晶表示パネル１０２１は、画像を表示する。平坦保護板１０２３は、液晶表示パネル１０２１の他方の主面である液晶表示パネル１０２１の表面１０４１に対向し、液晶表示パネル１０２１の表面１０４１を覆い、外部からの衝撃から液晶表示パネル１０２１を保護する。透明接着剤層１０２２は、液晶表示パネル１０２１の表面１０４１と平坦保護板１０２３との間にあり、平坦保護板１０２３を液晶表示パネル１０２１に接着する。遮蔽部材１０２４は、バックライト１０２０、液晶表示パネル１０２１及び透明接着剤層１０２２を収容し、平坦保護板１０２３を支持し、液晶表示パネル１０２１の端部１０６１を遮蔽する。
【００２９】
液晶表示装置１０００が画像を表示する場合は、液晶表示パネル１０２１に信号が入力され、液晶表示パネル１０２１の複数の画素における光の透過率が入力された信号に応じたものになる。
【００３０】
また、液晶表示装置１０００が画像を表示する場合は、バックライト１０２０が光を放射する。放射された光は、液晶表示パネル１０２１の背面１０４０に入射する。入射した光は、液晶表示パネル１０２１の複数の画素を透過する。透過した光は、液晶表示パネル１０２１の表面１０４１から出射する。出射した光は、遮蔽部材１０２４に形成される開口１０８０を通過する。通過した光は、透明接着剤層１０２２及び平坦保護板１０２３を順次に透過する。
【００３１】
これらにより、液晶表示パネル１０２１の表面１０４１が表示面になり、液晶表示パネル１０２１に入力された信号に応じた画像が液晶表示パネル１０２１の表面１０４１に表示される。表示される画像は、開口１０８０を経由して透明接着剤層１０２２及び平坦保護板１０２３越しに視認される。
【００３２】
液晶表示パネル１０２１は、透過型又は半透過型の液晶表示パネルであるため、液晶表示装置１０００は、バックライト１０２０を備える。しかし、液晶表示パネル１０２１が反射型の液晶表示パネルに置き換えられてもよい。液晶表示パネル１０２１が反射型の液晶表示パネルに置き換えられる場合は、液晶表示装置１０００からバックライト１０２０が省略される。
【００３３】
１．２  液晶表示パネル
液晶表示パネル１０２１は、図１及び図２に図示されるように、光学フィルム１１００、アレイ基板１１０１、カラーフィルタ基板１１０２及び光学フィルム１１０３を備える。また、液晶表示パネル１０２１は、図示されないシール材、封止材、スペーサー及び液晶層を備える。液晶表示パネル１０２１がこれらの構成物以外の構成物を備えてもよい。
【００３４】
アレイ基板１１０１は、液晶表示パネル１０２１の背面１０４０側に配置される。カラーフィルタ基板１１０２は、液晶表示パネル１０２１の表面１０４１側に配置される。光学フィルム１１００は、アレイ基板１１０１の外側主面に貼り付けられる。光学フィルム１１０３は、カラーフィルタ基板１１０２の外側主面に貼り付けられる。カラーフィルタ基板１１０２の内側主面は、間隙を挟んでアレイ基板１１０１の内側主面に対向する。シール材、封止材、スペーサー及び液晶層は、当該間隙にある。シール材は、カラーフィルタ基板１１０２をアレイ基板１１０１に貼り付け、液晶層を囲む。封止材は、シール材に形成される注入口を封止する。スペーサーは、アレイ基板１１０１からカラーフィルタ基板１１０２までの間隔を一定に維持する。液晶層は、シール材に囲まれる領域に注入口を経由して液晶を注入することにより形成される。
【００３５】
アレイ基板１１０１は、第１のガラス基板、複数の薄膜トランジスタ（ＴＦＴ）、複数の画素電極及び第１の配向膜を備える。アレイ基板１１０１がこれらの構成物以外の構成物を備えてもよい。
【００３６】
複数のＴＦＴ、複数の画素電極及び第１の配向膜は、第１のガラス基板の内側主面上にある。複数のＴＦＴは、液晶表示パネル１０２１の複数の画素にそれぞれ属する。複数の画素電極は、液晶表示パネル１０２１の複数の画素にそれぞれ属する。第１の配向膜は、液晶層に接触し、液晶層を第１の特定の方向に配向させる。ガラスからなる透明な絶縁性基板である第１のガラス基板が、ガラス以外の材料からなる透明な絶縁性基板に置き換えられてもよい。
【００３７】
カラーフィルタ基板１１０２は、第２のガラス基板、複数のカラーフィルタ、遮光層及び第２の配向膜を備える。カラーフィルタ基板１１０２がこれらの構成物以外の構成物を備えてもよい。複数のカラーフィルタ、遮光層及び第２の配向膜は、第２のガラス基板の内側主面上にある。複数のカラーフィルタは、液晶表示パネル１０２１の複数の画素にそれぞれ属する。第２の配向膜は、液晶層に接触し、液晶層を第２の特定の方向に配向させる。ガラスからなる透明な絶縁性基板である第２のガラス基板が、ガラス以外の材料からなる透明な絶縁性基板に置き換えられてもよい。
【００３８】
光学フィルム１１００及び１１０３の各々は、偏光板を備える。
【００３９】
液晶表示装置１０００が画像を表示する場合は、各画素に属するＴＦＴが各画素に属する画素電極への電圧の供給経路を開閉するスイッチング素子となり、液晶層を構成する液晶の複屈折性が利用される。
【００４０】
液晶表示装置１０００が画像を表示する場合は、液晶表示パネル１０２１に入力された信号に応じた駆動信号が各画素に属するＴＦＴに供給され、供給された駆動信号に応じた駆動電圧が各画素に属する画素電極に供給され、供給された駆動電圧に応じた電界が液晶層の各画素に属する部分に印加される。液晶層の各画素に属する部分の配向状態は、当該部分に印加された電界に応じたものになる。液晶層の各画素に属する部分を透過する間の光の偏光状態の変化は、当該部分の配向状態に応じたものになる。
【００４１】
また、液晶表示装置１０００が画像を表示する場合は、液晶表示パネル１０２１の背面１０４０に光が入射させられる。入射させられた光は、光学フィルム１１００に備えられる偏光板、液晶層の各画素に属する部分及び光学フィルム１１０３に備えられる偏光板を順次に通過する。光学フィルム１１００に備えられる偏光板は、第１の偏光状態の光を選択的に透過させる。光学フィルム１１０３に備えられる偏光板は、第２の偏光状態の光を選択的に透過させる。このため、各画素における光の透過率は、液晶層の各画素に属する部分を透過する間の光の偏光状態の変化が、第１の偏光状態から第２の偏光状態への変化に近づくにつれて大きくなる。
【００４２】
これらにより、液晶表示パネル１０２１の複数の画素における光の透過率は、液晶表示パネル１０２１に入力された信号に応じたものとなる。
【００４３】
上記の構造を有する液晶表示パネル１０２１が上記の構造以外の構造を有する液晶表示パネルに置き換えられてもよい。
【００４４】
１．３  視認防止構造
１．３．１  液晶表示パネル
液晶表示パネル１０２１は、図１及び図２に図示されるように、画像表示部１０６０及び端部１０６１を備える。画像表示部１０６０は、複数の画素からなる。
【００４５】
画像表示部１０６０には画像が表示されるが、端部１０６１には画像が表示されない。また、端部１０６１は、発光する。このため、液晶表示装置１０００は、画像表示部１０６０が視認されるが端部１０６１が視認されないようにするために、遮蔽部材１０２４を備える。
【００４６】
１．３．２  平坦保護板
平坦保護板１０２３は、図１及び図２に図示されるように、透明板１１２０及び黒枠印刷膜１１２１を備える。平坦保護板１０２３がこれらの構成物以外の構成物を備えてもよい。
【００４７】
黒枠印刷膜１１２１は、透明板１１２０の一方の主面１１４０上に形成される。黒枠印刷膜１１２１は、平坦保護板１０２３の周縁にあり、液晶表示パネル１０２１の厚さ方向Ｄ１１から平面視された場合に液晶表示パネル１０２１の端部１０６１に重なるが、平坦保護板１０２３の中心にはなく、液晶表示パネル１０２１の厚さ方向Ｄ１１から平面視された場合に液晶表示パネル１０２１の画像表示部１０６０に重ならない。透明板１１２０は、光を透過させる。黒枠印刷膜１１２１は、光を透過させない。これらにより、平坦保護板１０２３は、平坦保護板１０２３の中心にあり液晶表示パネル１０２１の厚さ方向Ｄ１１から平面視された場合に画像表示部１０６０に重なる透明部１１６０を備えるとともに、平坦保護板１０２３の周縁にあり液晶表示パネル１０２１の厚さ方向Ｄ１１から平面視された場合に端部１０６１に重なる遮光部１１６１を備える。
【００４８】
上記の構造を有する平坦保護板１０２３が上記の構造以外の構造を有する平坦保護板に置き換えられてもよい。
【００４９】
１．３．３  遮蔽部材
遮蔽部材１０２４は、図１及び図２に図示されるように、枠状の形状を有する。このため、遮蔽部材１０２４には、開口１０８０が形成される。開口１０８０は、液晶表示パネル１０２１の厚さ方向Ｄ１１から平面視された場合に、液晶表示パネル１０２１の画像表示部１０６０に重なる。このため、開口１０８０には、画像表示部１０６０が露出する。遮蔽部材１０２４は、液晶表示パネル１０２１の厚さ方向Ｄ１１から平面視された場合に、平坦保護板１０２３の遮光部１１６１に重なる。
【００５０】
透明部１１６０及び開口１０８０の各々が液晶表示パネル１０２１の厚さ方向Ｄ１１から平面視された場合に画像表示部１０６０に重なることにより、画像表示部１０６０に表示される画像が開口１０８０及び透明部１１６０を経由して視認される。
【００５１】
遮蔽部材１０２４は、支持部１１８０及び遮蔽部１１８１を備える。遮蔽部材１０２４がこれらの構成物以外の構成物を備えてもよい。
【００５２】
支持部１１８０は、液晶表示パネル１０２１の厚さ方向Ｄ１１から平面視された場合に、液晶表示パネル１０２１及び遮蔽部１１８１を囲む。支持部１１８０は、平坦保護板１０２３を支持する。
【００５３】
１．３．４  液晶表示パネルの端部の視認の防止
遮蔽部材１０２４の遮蔽部１１８１は、図１及び図２に図示されるように、液晶表示パネル１０２１の厚さ方向Ｄ１１から平面視された場合に液晶表示パネル１０２１の端部１０６１に重なり、端部１０６１と平坦保護板１０２３の遮光部１１６１との間にある。これにより、平坦保護板１０２３越しに液晶表示パネル１０２１の表面１０４１が観察された場合に、端部１０６１が、遮蔽部１１８１に隠され、容易に視認されない。このことは、液晶表示装置１０００の表示品位を向上することに寄与する。
【００５４】
１．３．５  気泡の視認の防止
遮蔽部材１０２４の支持部１１８０が有する配置面１２００は、図１及び図２に図示されるように、支持部１１８０の上端にある。支持部１１８０が有する配置面１２００には、平坦保護板１０２３が配置される。遮蔽部材１０２４の遮蔽部１１８１は、支持部１１８０が有する配置面１２００より下方にある。このため、遮蔽部１１８１は、支持部１１８０が有する配置面１２００から下方に凹んだ凹み部を構成し、液晶表示パネル１０２１の厚さ方向Ｄ１１に平坦保護板１０２３の遮光部１１６１から離される。遮光部１１６１と遮蔽部１１８１との間には、透明接着剤層１０２２がある。遮蔽部１１８１が遮光部１１６１から離されることにより、透明接着剤層１０２２内に発生した気泡１２２０が、遮光部１１６１と遮蔽部１１８１との間１２４０、特に平坦保護板１０２３と遮蔽部材１０２４との境界の付近１２４１に集まる。これにより、平坦保護板１０２３越しに液晶表示パネル１０２１の表面１０４１が観察された場合に、発生した気泡１２２０が、遮光部１１６１に隠され、容易に視認されない。すなわち、平坦保護板１０２３が液晶表示パネル１０２１に接着される際に平坦保護板１０２３と透明接着剤層１０２２との界面及び液晶表示パネル１０２１と透明接着剤層１０２２との界面の付近に発生する気泡１２２０が液晶表示パネル１０２１の画像表示部１０６０に重ならない領域に退避させられる。このことは、液晶表示装置１０００の表示品位を向上することに寄与する。
【００５５】
１．３．６  遮蔽部材の遮蔽部の視認の防止
遮蔽部材１０２４は、図１及び図２に図示されるように、液晶表示パネル１０２１の厚さ方向Ｄ１１から平面視された場合に、平坦保護板１０２３の遮光部１１６１に重なる。このため、遮蔽部材１０２４は、正面方向Ｄ１３から液晶表示パネル１０２１の表面１０４１が観察された場合は、遮光部１１６１に隠され、容易に視認されない。しかし、遮蔽部材１０２４の遮蔽部１１８１は、斜め方向Ｄ１４から液晶表示パネル１０２１の表面１０４１が観察された場合は、視認される可能性がある。そこで、液晶表示装置１０００は、遮蔽部１１８１に下記の視認防止形状を付与することにより、斜め方向Ｄ１４から液晶表示パネル１０２１の表面１０４１が観察された場合でも遮蔽部１１８１が液晶表示パネル１０２１の画像表示部１０６０の付近に鮮明に視認されないようにし、液晶表示装置１０００の表示品位を向上している。
【００５６】
遮蔽部１１８１は、液晶表示パネル１０２１の厚さ方向Ｄ１１と垂直をなす方向に遮蔽部材１０２４の支持部１１８０から離れるにつれて液晶表示パネル１０２１の厚さ方向Ｄ１１についての厚さＴが薄くなるテーパ状の形状を有し、遮光部１１６１に対向するテーパ面１２６０を有する。
【００５７】
遮蔽部１１８１がテーパ状の形状を有することにより、遮蔽部１１８１の内周側の端面１２８０が細くなり、斜め方向Ｄ１４から液晶表示パネル１０２１の表面１０４１が観察された場合に、遮蔽部１１８１が鮮明に視認されにくくなる。遮蔽部１１８１の内周側の端面１２８０が細くなることにより遮蔽部１１８１が鮮明に視認されなくなるのは、遮蔽部１１８１そのものが視認されにくくなるのに加えて、液晶表示パネル１０２１の表面１０４１から出射し遮蔽部１１８１の内周側の端面１２８０により全反射された強い光が液晶表示装置１０００から出射することが抑制されるためである。
【００５８】
また、光を散乱する遮蔽部１１８１のテーパ面１２６０が平坦保護板１０２３に対向することにより、斜め方向Ｄ１４から液晶表示パネル１０２１の表面１０４１が観察された場合に、遮蔽部１１８１が鮮明に視認されにくくなる。
【００５９】
テーパ面１２６０は、湾曲面であり、望ましくは０でない曲率を有する。テーパ面１２６０が０でない曲率を有することにより、遮蔽部１１８１がさらに不鮮明になる。
【００６０】
遮蔽部１１８１がテーパ状の形状を有することは、遮蔽部材１０２４が平坦保護板１０２３を支持するのに必要な剛性を維持することにも寄与する。
【００６１】
遮蔽部１１８１は、液晶表示パネル１０２１の端部１０６１に沿う。遮蔽部１１８１と端部１０６１との間のクリアランスは、０又は０に近い値とされる。これにより、透明接着剤が塗布されて透明接着剤層１０２２が形成される際に、遮蔽部１１８１の端部が透明接着剤をせき止めるダムとして機能し、透明接着剤が液晶表示パネル１０２１の端部１０６１等の液晶表示パネル１０２１の内部に侵入することが抑制される。
【００６２】
２  参考例
図３は、参考例の液晶表示装置を模式的に図示する断面図である。
【００６３】
図３に図示される液晶表示装置９０００は、バックライト９０２０、液晶表示パネル９０２１、透明接着剤層９０２２、平坦保護板９０２３及び遮蔽部材９０２４を備える。
【００６４】
バックライト９０２０、液晶表示パネル９０２１及び平坦保護板９０２３は、それぞれ実施の形態１の液晶表示装置１０００に備えられるバックライト１０２０、液晶表示パネル１０２１及び平坦保護板１０２３と同じものである。
【００６５】
実施の形態１の液晶表示装置１０００に備えられる遮蔽部材１０２４と参考例の液晶表示装置９０００に備えられる遮蔽部材９０２４との相違は、前者の遮蔽部材１０２４は上記の視認防止構造を有するのに対して、後者の遮蔽部材９０２４は上記の視認防止構造を有しない点にある。
【００６６】
遮蔽部材９０２４の遮蔽部９１８１は、平坦保護板９０２３の遮光部９１６１に接触する。このため、透明接着剤層９０２２内に発生した気泡９２２０は、遮光部９１６１と遮蔽部９１８１との間に集まらず、遮蔽部９１８１の内周側の端面９２８０の付近、特に平坦保護板９０２３と遮蔽部材９０２４との境界の付近９２４１又は液晶表示パネル９０２１と遮蔽部材９０２４との境界の付近９２４２に集まる。このため、平坦保護板９０２３越しに液晶表示パネル９０２１の表面９０４１が観察された場合に、発生した気泡９２２０が、空気の屈折率と平坦保護板９０２３の屈折率との相違の影響により、容易に視認される。
【００６７】
遮蔽部９１８１は、液晶表示パネル９０２１の厚さ方向Ｄ９１と垂直をなす方向に遮蔽部材９０２４の支持部９１８０から離れても液晶表示パネル９０２１の厚さ方向Ｄ９１についての厚さＴが一定である形状を有する。このため、遮蔽部９１８１の内周側の端面９２８０が太くなり、斜め方向Ｄ９４から液晶表示パネル９０２１の表面９０４１が観察された場合に、遮蔽部９１８１が鮮明に視認される。遮蔽部９１８１の内周側の端面９２８０が太くなることにより遮蔽部９１８１が鮮明に視認されるのは、遮蔽部９１８１そのものが視認されやすくなるのに加えて、液晶表示パネル９０２１の表面９０４１から出射し遮蔽部９１８１の内周側の端面９２８０により全反射された強い光が液晶表示装置９０００から出射することが抑制されないためである。
【００６８】
３  実施の形態２
図４は、実施の形態２の液晶表示装置を模式的に図示する断面図である。
【００６９】
図４に図示される液晶表示装置２０００は、バックライト２０２０、液晶表示パネル２０２１、透明接着剤層２０２２、湾曲保護板２０２３及び遮蔽部材２０２４を備える。
【００７０】
バックライト２０２０及び液晶表示パネル２０２１は、それぞれ実施の形態１の液晶表示装置１０００に備えられるバックライト１０２０及び液晶表示パネル１０２１と同じものである。
【００７１】
実施の形態１の液晶表示装置１０００に備えられる遮蔽部材１０２４と実施の形態２の液晶表示装置２０００に備えられる遮蔽部材２０２４との相違は、前者の遮蔽部材１０２４は平坦保護板１０２３の形状に適合する形状を有する配置面１２００を有するのに対して、後者の遮蔽部材２０２４は湾曲保護板２０２３の形状に適合する形状を有する配置面２２００を有する点にある。
【００７２】
実施の形態１の液晶表示装置１０００に備えられる透明接着剤層１０２２と実施の形態２の液晶表示装置２０００に備えられる透明接着剤層２０２２との相違は、前者の透明接着剤層１０２２は平坦保護板１０２３及び遮蔽部材１０２４に応じた形状を有するのに対して、後者の透明接着剤層２０２２は湾曲保護板２０２３及び遮蔽部材２０２４に応じた形状を有する点にある。
【００７３】
実施の形態２の液晶表示装置２０００においても、実施の形態１の液晶表示装置１０００において採用される視認防止構造と同様の視認防止構造が採用される。
【００７４】
したがって、液晶表示パネル２０２１は、画像表示部２０６０及び端部２０６１を備える。湾曲保護板２０２３は、透明板２１２０及び黒枠印刷膜２１２１を備える。湾曲保護板２０２３は、湾曲保護板２０２３の中心にあり液晶表示パネル２０２１の厚さ方向Ｄ２１から平面視された場合に画像表示部２０６０に重なる透明部２１６０を備えるとともに、湾曲保護板２０２３の周縁にあり液晶表示パネル２０２１の厚さ方向Ｄ２１から平面視された場合に端部２０６１に重なる遮光部２１６１を備える。遮蔽部材２０２４には、開口２０８０が形成される。遮蔽部材２０２４は、液晶表示パネル２０２１の厚さ方向Ｄ２１から平面視された場合に、遮光部２１６１に重なる。遮蔽部材２０２４の支持部２１８０は、液晶表示パネル２０２１の厚さ方向Ｄ２１から平面視された場合に、液晶表示パネル２０２１を囲む。支持部２１８０は、湾曲保護板２０２３を支持する。遮蔽部材２０２４の遮蔽部２１８１は、液晶表示パネル２０２１の厚さ方向Ｄ２１から平面視された場合に端部２０６１に重なり、端部２０６１と遮光部２１６１との間にある。遮蔽部２１８１は、液晶表示パネル２０２１の厚さ方向Ｄ２１に遮光部２１６１から離される。遮蔽部２１８１は、液晶表示パネル２０２１の厚さ方向Ｄ２１と垂直をなす方向に支持部２１８０から離れるにつれて液晶表示パネル２０２１の厚さ方向Ｄ２１についての厚さＴが薄くなるテーパ状の形状を有し、遮光部２１６１に対向するテーパ面２２６０を有する。
【００７５】
これらにより、実施の形態２の液晶表示装置２０００は、実施の形態１の液晶表示装置１０００と同様に、端部２０６１が容易に視認されず、透明接着剤層２０２２内に発生した気泡２２２０が容易に視認されず、遮蔽部２１８１が鮮明に視認されず、液晶表示装置２０００の表示品位が向上するという効果を有する。
【００７６】
また、実施の形態２の液晶表示装置２０００においては、湾曲保護板２０２３越しに端部２０６１の付近が視認された場合に、湾曲保護板２０２３の外側主面における光の屈折の角度に依存するものの、実施の形態１の液晶表示装置１０００において視認される範囲よりも広い範囲が顕著に視認される。このため、実施の形態２の液晶表示装置２０００においては、上記の視認防止構造の効果がより明確に表れる。
【００７７】
なお、本発明は、その発明の範囲内において、各実施の形態を自由に組み合わせたり、各実施の形態を適宜、変形、省略することが可能である。
【００７８】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７９】
１０００，２０００，９０００  液晶表示装置、１０２０，２０２０，９０２０  バックライト、１０２１，２０２１，９０２１  液晶表示パネル、１０２２，２０２２，９０２２  透明接着剤層、１０２３，９０２３  平坦保護板、２０２３  湾曲保護板、１０２４，２０２４，９０２４  遮蔽部材、１０６０，２０６０  画像表示部、１０６１，２０６１  端部、１０８０，２０８０  開口、１１６０，２１６０  透明部、１１６１，２１６１，９１６１  遮光部、１１８０，２１８０，９１８０  支持部、１１８１，２１８１，９１８１  遮蔽部、１２２０，２２２０，９２２０  気泡、１２６０，２２６０  テーパ面。
【図１】
2019082519.tif 000003
【図２】
2019082519.tif 000004
【図３】
2019082519.tif 000005
【図４】
2019082519.tif 000006